【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
着脱自在に交換可能な材料変位摩耗部材を、前記摩耗部材の内側ポケット領域内に受容される支持構造部分へと接続するために用いる装置であって、
前記摩耗部材および前記支持構造部分が略芯合わせ可能な接続開口を有しており、
前記装置が、芯合わせされた前記両接続開口内に挿入自在な、細長い、略平坦なコネクタ部材を備えており、
前記コネクタ部材が、
第１軸に沿って間隔を開けて配置された第１および第２の端部と、
前記第１および第２の端部間で長手方向に延び、前記第１軸と平行な、前記第１軸の周りを囲む外側周辺表面部分と、
前記第１軸と平行な第２軸に沿って前記第１の端部の内側へと長手方向に延びる開口と、
前記開口の内側の側面から半径方向外側に延びる回り止め凹部領域と、
前記コネクタ部材を前記両接続開口内に解放可能に保持するために作動しうるロック構造と、
を有していることを特徴とする装置。
【請求項２】
前記コネクタ部材が、少なくともその長さ方向の主要な部分に沿って、前記第１軸を横断する方向において細長い断面形状を有しており、前記細長い断面形状が、テーパ状で、略くさび形の形状を有している
ことを特徴とする請求項１に記載の装置。
【請求項３】
前記第１の端部が、前記第１軸を横断する方向に延びる表面部分を有する、軸線方向に入り込んだ領域を有しており、前記開口が、前記軸線方向に入り込んだ領域の前記表面部分を通って内側に長手方向に延びている
ことを特徴とする請求項１に記載の装置。
【請求項４】
前記回り止め凹部領域が、前記開口の内側側面から半径方向外側に延びる、円周方向に間隔を開けて配置された第１および第２の回り止め凹部を有している
ことを特徴とする請求項１に記載の装置。
【請求項５】
前記ロック構造は、ロック位置とアンロック位置との間で前記コネクタ部材に対して回動するように前記開口内に同軸に受け入れられる円柱状の本体を有するロック部材を有し、
前記本体は、前記開口の外側に配設される外側端部と、そこから横断方向外側に突出するロックタブ部分とを有しており、
前記本体には、前記ロック位置およびアンロック位置のいずれにおいても軸線方向の正味の力が負荷されない
ことを特徴とする請求項１に記載の装置。
【請求項６】
前記ロックタブ部分は、
前記ロック位置においては、前記第１軸を横断する方向において前記コネクタ部材の外側周辺表面部分を通過して外側に突出するが、
前記アンロック位置においては、前記第１軸を横断する前記方向において前記コネクタ部材の外側周辺表面部分を認め得る程度に通過して外側に突出することがないようになされており、
前記装置は更に、
前記ロック部材の本体の外側側面部分から内側へと横方向に延びる凹部と、前記本体に支持されるとともに弾性的に付勢されて前記凹部から外側に突出する回り止め部材と、を備えており、
前記コネクタ部材の回り止め凹部領域は、前記回り止め部材が弾性的にパチンと嵌る回り止め凹部を有しており、前記ロック部材が前記ロック位置に回動したときに、前記ロック部材を前記ロック位置に解放可能に拘束する
ことを特徴とする請求項５に記載の装置。
【請求項７】
交換可能な材料変位摩耗部材において、
前端部と、
第１軸に沿って前記前端部から間隔を開けて配置された後端部と、
前記後端部を通って前方に延びるポケット領域と、
前記ポケット領域を部分的に区画する、対向する第１および第２の側壁部分と、
前記第１軸を横断する方向の第２軸に沿って間隔を開けて配置され、前記第１および第２の側壁部分を通って前記ポケット領域内にそれぞれ内側に延びている、芯合わせされた第１および第２のコネクタ開口と、を備え、
前記第２の側壁部分は、前記第２のコネクタ開口内に延びて、前記第２のコネクタ開口の断面積を前記第１のコネクタ開口の断面積に対して減少させるとともに、前記第２のコネクタ開口の軸方向外側部分を前記第２軸に関して横方向にオフセットさせ、
前記第２の側壁部分が前記第２軸を横断する方向で内側を向いている当接面をさらに有している
ことを特徴とする交換可能な材料変位摩耗部材。
【請求項８】
前記当接面が、前記第２の側壁部分の内側側面の凹部によって形成されている
ことを特徴とする請求項７に記載の交換可能な材料変位摩耗部材。
【請求項９】
前記第１のコネクタ開口の内側表面に形成された凹部をさらに備え、前記凹部が、前記ポケット領域を向いた開放側を有していることを特徴とする請求項７に記載の交換可能材料変位摩耗部材。
【請求項１０】
材料変位装置において、
第１軸に沿って前方に延びる前側部分を有するとともに、前記第１軸を横断する方向の第２軸に沿って貫通して延びるコネクタ開口を有した支持構造と、
後方に向かって前記前側部分上に外嵌され、かつ前記前側部分のコネクタ開口と芯合わせされて対向する第１および第２の側壁コネクタ開口の組を有した、交換可能な摩耗部材と、
前記芯合わせされたコネクタコネクタ開口に取り外し自在に受け入れられるとともに、前記摩耗部材を前記支持構造上に係止する、細長い、略平坦なコネクタ部材と、
を備え、
前記コネクタ部材が、
前記第１軸に沿って離間する第１および第２の端部と、
前記第１および第２の端部間で長手方向に延び、前記第１軸と平行な、前記第１軸の周りを囲む外側周辺表面部分と、
前記第１軸と平行な第２軸に沿って前記第１の端部の内側へと長手方向に延びる開口と、
前記開口の内側の側面から半径方向外側に延びる回り止め凹部領域と、
前記コネクタ部材を前記芯合わせされた開口内で解放自在に保持するロック構造と、
を有していることを特徴とする材料変位装置。
【請求項１１】
交換可能な材料変位刃先において、
前端部と、
第１軸に沿って前記前端部から間隔を開けて配置された後端部と、
前記後端部を通って前方に延びるポケット領域と、
前記ポケット領域を部分的に区画する、対向する第１および第２の側壁部分と、
芯合わせされた第１および第２のコネクタ開口であって、前記第１軸を横断する方向の第２軸に沿って間隔を開けて配置され、前記第１および第２の側壁部分を通って前記ポケット領域内にそれぞれ延びる第１および第２のコネクタ開口と、
を備え、
前記第２の側壁部分は、前記第２のコネクタ開口内に延びて、前記第２のコネクタ開口の断面積を前記第１のコネクタ開口の断面積に対して減少させるとともに、前記第２の側壁部分は、前記第２軸を横断する方向で内側を向いている当接面をさらに有しており、
前記刃先は、そこを通って前記ポケット領域が前方に延びる湾曲した後端表面部分を有しており、前記第１および第２の対向する側壁部分は、前記湾曲した後端表面部分において後方に向かって終端し、前記刃先は、前記第１および第２の対向側壁部分を横断する方向において、前記湾曲した後端表面部分を過ぎて後方に向かって延びる、第３および第４の対向する側壁部分をさらに有していることを特徴とする交換可能な材料変位刃先。
【請求項１２】
材料変位装置において、
第１軸に沿って前方に延びる前側部分を有するとともに、前記第１軸を横断する方向の第２軸に沿って貫通して延びるコネクタ開口を有した支持構造と、
後方に向かって前記前側部分上に外嵌され、かつ前記前側部分のコネクタ開口と芯合わせされて対向する第１および第２の側壁コネクタ開口の組を有した、交換可能な摩耗部材と、
前記摩耗部材を前記前側部分上に着脱自在に保持しているコネクタ組立体と、
を備え、
前記コネクタ組立体が、
前記前側部分コネクタ開口および前記第１および第２の摩耗部材コネクタ開口を通って長手方向に延びるとともに前記第２軸に沿って着脱自在に受け入れられ、前記第１および第２の摩耗部材コネクタ開口内にそれぞれ受け入れられる第１および第２の端部を有し、前記摩耗部材の前記前側支持構造部分からの離脱を防止する細長いコネクタ部材であって、前記第１および第２の端部の間で長手方向に延び、前記第２軸と平行な、前記第２軸の周りを囲んでいる外側周辺表面部分を有しているコネクタ部材と、
前記コネクタ部材の第１の端部によって回動自在に支持されるロック部材と、
前記第２軸を横断する方向に延びて、前記ロック部材、したがって前記コネクタ部材が前記第１の摩耗部材コネクタ開口を通って外側に通過することを防止する、前記材料変位装置の内側に配設された第１の当接面と、
前記第２軸を横断する方向に延びて、前記コネクタ部材が前記第２の摩耗部材コネクタ開口を通って外側に通過することを防止する、前記材料変位装置の内側に配設された第２の当接面と、
を有していることを特徴とする材料変位装置。
【請求項１３】
前記支持構造は、そこから前記前側部分が前方に突出する湾曲した前面を有するベース部を有し、
前記摩耗部材は、前記ベース部の湾曲した前面と相補的に係合可能であり、かつそこを通ってポケット領域が前方に延びる湾曲した後端表面部分を有し、
前記ポケット領域は、前記前側部分を相補的に受け入れ、
前記摩耗部材は、前記第１および第２の摩耗部材コネクタ開口がそこを通ってそれぞれ延びる第１および第２の対向する側壁部分と、前記第１および第２の対向する側壁部分を横断するとともに前記摩耗部材の湾曲した後端表面部分を通って後方に延びる第３および第４の対向する側壁部分と、を有している
ことを特徴とする請求項１２に記載の材料変位装置。
【請求項１４】
前記ベース部の前面が凸状に湾曲し、かつ前記摩耗部材の後端表面部分が凹状に湾曲していることを特徴とする請求項１３に記載の材料変位装置。
【請求項１５】
交換可能な材料変位摩耗部材において、
前端部と、
第１軸に沿って前記前端部から間隔を開けて配置された後端部と、
前記後端部を通って前方に延びるポケット領域と、
前記ポケット領域を部分的に囲む、対向する第１および第２の側壁部分と、
芯合わせされた第１および第２のコネクタ開口であって、前記第１軸を横断する方向の第２軸に沿って間隔を開けて配置されるとともに、前記第１および第２の側壁部分を通って前記ポケット領域内にそれぞれ延びる第１および第２のコネクタ開口と、
を備え、
前記第１のコネクタ開口はその内側側面に形成された当接凹部を有し、
前記摩耗部材は、そこを通って前記ポケット領域が前方に延びる湾曲した後端表面部分を有しており、前記第１および第２の対向する側壁部分は、前記湾曲した後端表面部分において後方に向かって終端し、前記摩耗部材は、前記第１および第２の対向側壁部分を横断する方向に前記湾曲した後端表面部分を過ぎて後方に向かって延びる第３および第４の対向する側壁部分をさらに有している
ことを特徴とする交換可能な材料変位摩耗部材。